(57)【特許請求の範囲】
【請求項１】
一つ以上の外部ノードと移動局との間の送信を制御する装置であって、
ホーム位置レジスタ（ＨＬＲ）内で非構造の補足サービスデータ（ＵＳＳＤ：Unstructured Supplementary Service Data）を分析して、定義されたＨＬＲアプリケーションに前記ＵＳＳＤが対応するかどうか決定する第一のＵＳＳＤハンドラと、
前記ＵＳＳＤが前記定義されたＨＬＲアプリケーションのどれにも対応しないと前記第一のＵＳＳＤハンドラが決定すると、前記ＵＳＳＤで定義された前記一つ以上の外部ノードの１つと前記移動局との間にＴＴＥＮ（Transparent Transfer to External Nodes）アプリケーションを確立する透過伝送ユニット、
を備える、外部ノードと移動局との間の送信を制御する装置。
【請求項２】
前記移動局からのＵＳＳＤを受信する交換センターであって前記ＵＳＳＤが所定の交換センターアプリケーションに対応するかどうかを決定する第二のＵＳＳＤハンドラを有する前記交換センターを更に有し、前記ＵＳＳＤは前記交換センターアプリケーションの一つに対応しない、と前記第二のＵＳＳＤハンドラが判断したときには、前記ホーム位置レジスタは前記交換センターから前記ＵＳＳＤを受信する、請求項１に記載の前記装置。
【請求項３】
請求項２に記載の前記装置であって、前記移動局は、前記一つ以上の外部ノードの一つと前記移動局との間にテキストベースのユーザーインタラクションを成立させるサービスコードを発生させると共に、前記サービスコードが、対応する移動局動作に関連すると前記移動局が認識しなかった場合には、前記移動局は、前記サービスコードをＵＳＳＤとして前記交換センターに送信する、請求項２に記載の前記装置。
【請求項４】
前記第一のＵＳＳＤハンドラが、前記ＵＳＳＤは前記定義されたＨＬＲアプリケーションの一つに対応すると判断したときには、前記ＵＳＳＤとＨＬＲプロセッサに供給し、前記ＵＳＳＤにより定義されたサービスを実行する、請求項１から３のいづれかに記載の前記装置。
【請求項５】
前記第二のＵＳＳＤハンドラが、前記ＵＳＳＤは前記所定の交換センターアプリケーションに対応すると判断したときには、前記ＵＳＳＤによって定義された前記所定の交換センターアプリケーションを実行する交換センタープロセッサを、前記交換センターが更に有する、請求項２または３に記載の前記装置。
【請求項６】
前記交換センターはビジタ位置レジスタを有する、請求項２，３または５のいづれかに記載の前記装置。
【請求項７】
前記透過伝送ユニットによって実行される前記ＴＴＥＮアプリケーションは、前記移動局と前記一つの外部ノードとの間の通信を確立し、そして前記ホーム位置レジスタは、前記外部ノードまたは前記移動局のいづれかが、それらの間の接続の終了を要求するまでは、前記移動局と前記一つの外部ノードとの間でＵＳＳＤを中継する、請求項１から６のいづれかに記載の前記装置。
【請求項８】
前記一つの外部ノードまたは前記移動局が、前記透過伝送ユニットにメッセージを送信して、前記ＴＴＥＮアプリケーションの終了を要求する、請求項７に記載の装置。
【請求項９】
複数の外部ノードがサービスを含むときには、サービスの主メニューを作ることにより、前記透過伝送ユニットは主インターフェースとして動作する、請求項１から８のいづれかに記載の前記装置。
【請求項１０】
請求項９に記載の前記装置であって、前記透過伝送ユニットは、前記サービスの前記主メニューから選択したサービスを含む通信を前記移動局と前記外部ノード中の一つとの間に確立し、そして前記一つの外部ノードまたは前記移動局のいづれかが、それらの間の接続の終了を要求するまでは、それらの間でメッセージを中継し、前記移動局と前記透過伝送ユニットは、前記接続の終了が要求された後も通信状態を維持する、請求項９に記載の前記装置。
【請求項１１】
複数の外部ノードがサービスを含むときには、サービスの主メニューを作ることにより、前記外部ノードの一つが主インターフェースとして動作する、請求項５に記載の前記装置。
【請求項１２】
前記ＵＳＳＤは信号チャンネル上を送信される、請求項１から１１のいづれかに記載の前記装置。
【請求項１３】
前記外部ノードはメッセージセンタを有する、請求項１から１２のいづれかに記載の前記装置。
【請求項１４】
前記移動局は、統合コンピュータノートブックを有する、請求項１から１３のいづれかに記載の前記装置。
【請求項１５】
前記ホーム位置レジスタは前記一つの外部ノードから前記ＵＳＳＤを受信し、そして前記一つの外部ノードにＵＳＳＤを移動局に送信させる、請求項１に記載の前記装置。
【請求項１６】
前記ホーム位置レジスタが、前記ＵＳＳＤのシグナリングの終了のための終話メッセージを、前記移動局、または前記ＵＳＳＤを前記ホーム位置レジスタに送信している前記一つの外部ノード、から受信したかどうかを前記透過伝送ユニットが判断する、請求項１５に記載の前記装置。
【請求項１７】
一つ以上の外部ノードと移動局との間の送信を制御する装置であって、
前記移動局のアドレスを、ＵＳＳＤを起動する前記一つ以上の外部ノードの一つに送り、前記移動局と前記一つの外部ノードとの間に会話を確立するホーム位置レジスタ（ＨＬＲ）と、
前記アドレスに応じて前記移動局に対応する交換センタに選択的に接続して、前記一つの外部ノードと移動局との間に前記ＵＳＳＤにより外部ノードへのＴＴＥＮアプリケーションを確立する透過伝送ユニット、
を備える、一つ以上の外部ノードと移動局との間の送信を制御する装置。
【請求項１８】
前記ホーム位置レジスタから送信されたアドレスは、Comitie Consultatif International Telegraphique et Telephonique signaling system No.7アドレスである、請求項１７に記載の前記装置。
【請求項１９】
一つ以上の外部ノードと移動局との間の送信を制御する方法であって、
（ａ）ＵＳＳＤをホーム位置レジスタ（ＨＬＲ）内の第一のＵＳＳＤハンドラにより分析して、定義されたＨＬＲアプリケーションに前記ＵＳＳＤが対応するかどうか決定するステップと、
（ｂ）前記ＵＳＳＤが前記定義されたＨＬＲアプリケーションのどれにも対応しないと前記第一のＵＳＳＤハンドラが決定すると、前記ＵＳＳＤで定義された外部ノードの一つと前記移動局との間に、透過伝送ユニットにより一つの前記外部ノードへのＴＴＥＮアプリケーションを確立するステップと、
を有する、一つ以上の外部ノードと移動局との間の送信を制御する方法。
【請求項２０】
請求項１９に記載の前記方法であって、
交換センターにおいて、前記移動局からの前記ＵＳＳＤを受信するステップと、
前記交換センターが有する第二のＵＳＳＤハンドラによって、前記ＵＳＳＤが所定の交換センターアプリケーションに対応するかどうかを判断するステップと、
前記第二のＵＳＳＤハンドラが、前記ＵＳＳＤは前記所定の交換センターアプリケーションに対応しないと判断したときには、前記交換センターから、前記ホーム位置レジスタで前記ＵＳＳＤを受信するステップと、
を更に有する、請求項１９に記載の前記方法。
【請求項２１】
請求項２０に記載の前記方法であって、
前記一つ以上の外部ノードの一つと前記移動局との間に、テキストベースのユーザインタラクションを成立させるサービスコードを発生するステップと、
前記サービスコードが、対応する移動局動作に関連すると、前記移動局によって認識されなかったときには、前記サービスコードを、ＵＳＳＤとして前記交換センターに送信するステップと、
を更に有する、請求項２０に記載の前記方法。
【請求項２２】
請求項１９から２１のいづれかに記載の前記方法であって、前記第一のＵＳＳＤハンドラが、請求項１９のａ）において、前記ＵＳＳＤが前記定義されたホーム位置レジスタアプリケーションの一つであると決定したときには、前記ＵＳＳＤをホーム位置レジスタプロセッサに送信して、前記ＵＳＳＤによって定義されたサービスを実行するステップを更に有する、請求項１９から２１のいづれかに記載の前記方法。
【請求項２３】
前記第二のＵＳＳＤハンドラが前記ＵＳＳＤは前記所定の交換センターアプリケーションの一つに対応すると決定したときには、前記ＵＳＳＤに対応するアプリケーションを実行するステップを更に有する、請求項２０または２１に記載の前記方法。
【請求項２４】
請求項１９から２３のいづれかに記載の前記方法であって、
前記移動局と前記一つの外部ノードとの間に、前記透過伝送ユニットによって、通信を確立するステップと、
前記一つの外部ノードまたは前記移動局のいづれかが、それらの間の接続の終了を要求するまでは、前記移動局と前記一つの外部ノードとの間で、前記ホーム位置レジスタによってＵＳＳＤを中継するステップと、
を更に有する、請求項１９から２３のいづれかに記載の前記方法。
【請求項２５】
前記一つの外部ノードまたは前記移動局から、前記透過伝送ユニットにおいて通信終話メッセージを受信して通信の終了を要求するステップを更に有する請求項２４に記載の前記方法。
【請求項２６】
請求項１９から２５のいづれかに記載の前記方法であって、複数の外部ノードが複数のサービスを有するとき、サービスの主メニューを作ることにより、前記透過伝送ユニットが主インターフェースを形成するステップを更に有する、請求項１９から２５のいづれかに記載の前記方法。
【請求項２７】
請求項２６に記載の前記方法であって、
前記サービスの主メニューからサービスを選択して、選択されたサービスを含む通信を、前記移動局と前記外部ノードの一つとの間で前記透過伝送ユニットにより確立するステップと、
前記前記一つの外部ノードまたは前記移動局のいづれかが、それらの間の接続の終了を要求するまでは、前記移動局と前記一つの外部ノードの間でメッセージを中継するステップと、
前記接続の終了が要求されたときには、前記移動局と前記透過伝送ユニットとの間で通信を維持するステップと、
を更に有する請求項２６に記載の前記方法。
【請求項２８】
請求項２３に記載の前記方法であって、複数の外部ノードがサービスを有するときに、主メニューを作ることにより、前記外部ノードの一つによって主インターフェースを形成するステップを更に有する、請求項２３に記載の前記方法。
【請求項２９】
請求項１９に記載の前記方法であって、
前記一つの外部ノードから、前記ホーム位置レジスタにおいて前記ＵＳＳＤを受信するステップと、
前記一つの外部ノードが、前記ホーム位置レジスタにより、前記透過伝送ユニットをトリガすることで前記透過伝送アプリケーションの確立を許可されたときには、前記ＵＳＳＤの所望に基づいて、ＵＳＳＤを前記移動局に伝送することを前記ホーム位置レジスタによって許可するステップと、
を更に有する請求項１９に記載の前記方法。
【請求項３０】
前記一つの外部ノードまたは前記所望の移動局のいづれかが、それらの間の接続の終了を要求するまでは、前記移動局にＵＳＳＤを送信するステップ、を更に有する請求項２９に記載の前記方法。
【請求項３１】
一つ以上の外部ノードと移動局の相互のシグナリングを制御する方法であって、
ａ）前記移動局と前記一つの外部ノードとの間の通信を確立するためにＵＳＳＤを開始する一つ以上の外部ノードに対して、前記移動局からアドレスを送信するステップと、
ｂ）前記アドレスに応答して、前記移動局に対応する交換センターと、透過伝送ユニットとを選択的に接続するステップと、
ｃ）前記ＵＳＳＤによって、前記一つの外部ノードと前記移動局との間にＵＳＳＤアプリケーションを確立するステップと、
を有する前記方法。
【請求項３２】
前記ホーム位置レジスタから、ステップａ）において送信されるアドレスは、Comite Consultatif International Telegraphique et Telephonique signaling system No.7アドレスである請求項３１に記載の前記方法。
【発明の詳細な説明】
背景
この発明は、移動局すなわち加入者と外部ノードとの間の移動体通信（ＧＳＭ）公衆陸上移動体網（ＰＬＭＮ）用のグローバルシステム内の送信を、非構造の補足サービスデータ（ＵＳＳＤ）を用いて制御する装置と方法に関する。またこの発明はＵＳＳＤを用いて、パーソナル通信システム（ＰＣＳ）１９００などの同様なシステムにも適用できる。より詳しく言うと、この装置と方法は、ＵＳＳＤを用いた外部ノードへの透明な伝送（ＴＴＥＮ）アプリケーションにより、移動局すなわち加入者と外部ノードとの間に、テキストによる対話を与える。
第１図はＧＳＭ網を一般に示す。ＧＳＭ網は基地局コントローラＢＳＣｎ３０ｎを備え、基地局コントローラＢＳＣｎ３０ｎは通信リンクＬにより基地局トランシーバＢＴＳｎ５０ｎに接続する。各基地局トランシーバＢＴＳｎ５０ｎは網の関連するセルＣｎ６０ｎの中にあり、網はそれぞれ１個のセルＣｎ６０ｎを表す各六角形のハニカム構造で示す。またＧＳＭ網は、ビジタ位置レジスタＶＬＲを持つ移動体サービス交換センタＭＳＣとホーム位置レジスタＨＬＲ２０と備える。さらに外部ノード１、２、．．．、ｎは、図のようにＨＬＲ２０と通信する。外部ノード１、２、．．．、ｎは、ＰＬＭＮの外部にある外部サービスノードを表す。図のＭＳＣ／ＶＬＲ１０は複数のエンティティであるが、その間の接続はよく知られているので単一のエンティティとして示す。また図のＭＳＣ／ＶＬＲ１０はインターフェース１を通してＢＳＣｎ３０ｎと通信する。ＭＳＣ／ＶＬＲ１０とＨＬＲ２０はインターフェース２を通して通信する。インターフェース１はＡインターフェースすなわち基地局システム・アプリケーション部（ＢＳＳＡＰ）である。インターフェース２は移動体アプリケーション部（ＭＡＰ）であって、これはＧＳＭ内のローミングおよびハンドオーバー信号に用いる信号プロトコルである。第１図に示す加入ＭＳ７０は、永久加入者データを記憶するホーム網内のＨＬＲ２０に属する。外部ノード１、２、．．．、ｎは、インターフェース４を通してＨＬＲ２０と通信する。インターフェース４は変更ＭＡＰに対応する。変更ＭＡＰは機密保護と識別の目的で変更されたものである。
ＧＳＭ網の基本的な動作はよく知られているが、背景としてここで一般的に説明する。ＭＳ７０が新しいビジタとしてＭＳＣ／ＶＬＲ１０に登録されると、ＭＳ７０に対応するＨＬＲ２０は該当する加入者データの写しをＭＳＣ／ＶＬＲ１０に送る。ＨＬＲ２０はこのデータを、インターフェース２を通してＭＳＣ／ＶＬＲ１０に送る。インターフェース２はこのＧＳＭセルラ標準用の既知のＭＡＰプロトコルであって、ＣＣＩＴＴ  Ｎｏ．７信号方式アドレスを用いる。データを送る手続きはＧＳＭ勧告０９．０２内で指定されたＭＡＰに述べられている。このＧＳＭ勧告０９．０２を引例としてここに示す。ＭＡＰ内のデータ構造は、特定のユーザ対話手続きを持つ補足サービス（ＳＳ）コードを含む。これは補足サービスを識別するデータタイプである。本来、ＧＳＭ網内の全ての補足サービスはＳＳコードで識別される。データは、ＭＳＣ／ＶＬＲ１０内の各補足サービス毎に局所で記憶する。
現在、ファックスメールや音声メールなど、規定されたユーザ対話手続きを持たない各種のメッセージサービスがＭＳ加入者に提供されている。これらのメッセージサービスでユーザ対話を行うには、ＭＳの加入者はメッセージサービスの運営者が規定した番号をダイアルしなければならない。メッセージサービスとＭＳとの間の対話は、ＭＳからのＤＴＭＦ送信とメッセージサービスからの合成音声を用いて行う。たとえば、この対話は通常はコンピュータの合成音声により、２通の音声メールメッセージが待っていることと、数字の「１」を押せばこの音声メールメッセージを聞くことができることを、ＭＳ加入者に知らせる。ＭＳ加入者は普通の番号をダイアルしなければならず、しかも必要でない情報を聞くかも知れないので、この手続きは複雑で使いにくい。ＭＳは聞いてから数字を押すという２動作を行うので、メッセージサービスと「会話」するのは面倒である。さらに、加入者がサービスにアクセス中はＭＳは話中なので、音声チャンネルはサービスの間は占有される。
網内でＧＳＭ  ＰＬＭＮアプリケーションとＭＳとの間のテキストによるユーザ対話を透明な方法で行う機構はＵＳＳＤである。ＵＳＳＤはＧＳＭ網もＭＳ加入者も起動することができる。網が起動するＵＳＳＤでは、ＧＳＭ網はＭＳに情報を要求するか、またはテキスト列を単にＭＳに送ってＭＳには応答だけを要求する。ＭＳが起動するＵＳＳＤでは、ＧＳＭ網に要求を出す。現在用いられているＧＳＭフェーズ１では、ＭＳだけがＵＳＳＤを起動し、網はＭＳが起動するＵＳＳＤに応答するだけである。しかしＧＳＭフェーズ２では、網もＭＳもＵＳＳＤを起動して、会話を確立する。
サービスコード（ＳＣ）に関して、ＵＳＳＤの説明を続ける。ＳＣはＭＳすなわち加入者が作成するもので、電話番号に対応しない数字や、文字や、記号を含む。ＭＳは、ＭＳ内で定義されていないＳＣは全てＵＳＳＤと解釈する。ＭＳすなわち加入者がＳＣを作成したとき、ＳＣが認識される場合はＭＳは対応する動作を行い、ＳＣが認識されない場合はＳＣはＵＳＳＤとして扱われる。ＵＳＳＤは信号チャンネルによりＭＳＣ／ＶＬＲに送られる。ＭＳＣ／ＶＬＲでは、ＳＣをＵＳＳＤハンドラ内で分析する。ＳＣがＵＳＳＤハンドラ内で認識される場合は対応する動作が行われる。しかしＳＣがＵＳＳＤハンドラ内で認識されない場合は、ＳＣはＨＬＲに送られる。その後、ＵＳＳＤ送信は従来のＧＳＭ網内のＨＬＲで終わるので、ＵＳＳＤをＰＬＭＮの外部で用いることはできない。したがって、既知のＧＳＭ網内でＵＳＳＤ信号を用いる何らかの機能をＭＳＣ／ＶＬＲまたはＨＬＲで実現しなければらない。これは面倒であり、またコストのかかる複雑な解決法である。
このため、ＵＳＳＤにより可能になるのはＧＳＭ  ＰＬＭＮアプリケーションとＭＳとの間のテキストによるユーザ対話だけであって、従来のＧＳＭ網内では外部ノードとＭＳとの間ではテキストによるユーザ対話はできない。ＭＳと所望の外部ノードとの間の会話を確立するにはサービス中は音声チャンネルを占有しなければならないので、移動電話で話しながら同時に外部サービスにアクセスすることはできない。普通の移動電話では、これは欠点ではない。しかし外部のスピーカとマイクロホンを持つ移動局や、ノートブックコンピュータに統合された移動局では、移動局で電話をしながら同時に情報サービスにアクセスできる機能は非常に望ましいものである。
概要
この発明の目的は、移動局すなわち加入者と外部サービスノードとの間の送信を、非構造の補足サービスデータを用いて制御する装置と方法を提供することである。
この発明の別の目的は、非構造の補足サービスデータに応じてホーム位置レジスタが外部ノードへの透明な伝送を行い、移動局すなわち加入者と外部サービスノードとの間で会話ができるようにする、装置と方法を提供することである。
この発明の別の目的は、外部サービスと移動局すなわち加入者との間にテキストによるユーザ対話を提供することである。
この発明の目的は、外部ノードと移動局との間の送信を制御する装置を提供することにより達成される。この装置は、ＵＳＳＤハンドラと透明な伝送ユニット（ＴＴＵ）を備える。ＵＳＳＤハンドラは、ホーム位置レジスタ（ＨＬＲ）内で非構造の補足サービスデータ（ＵＳＳＤ）を分析して、定義されたＨＬＲアプリケーションに前記ＵＳＳＤが対応するかどうか決定し、ＴＴＵは、前記ＵＳＳＤが前記定義されたＨＬＲアプリケーションのどれにも対応しないとＨＬＲハンドラが決定したときは、前記ＵＳＳＤで定義された外部ノードの１つと移動局との間に外部ノードへの透明な伝送（ＴＴＥＮ）アプリケーションを確立する。
またこの発明の目的は、外部ノードと移動局との間の送信を制御する装置を提供することにより達成される。この装置は、非構造の補足サービスデータ（ＵＳＳＤ）を分析するホーム位置レジスタ（ＨＬＲ）ハンドラと、前記ＵＳＳＤに応じて外部ノードと移動局との間のテキストによるユーザ対話を確立する対話手段を備える。
この発明の装置と方法は、非構造の補足サービスデータを用いて移動局と外部ノードとの間の会話を確立することにより、外部ノードと移動局すなわち加入者との間のテキストによるユーザ対話を透明な方法で与える。したがって、ＨＬＲと外部ノードとの間の通信に信号チャンネルを用いて加入者が外部ノードでのサービスにアクセスしても話中にならず、掛かって来る電話に答えることができる。
この発明が適用できる一層広い範囲は、以下の詳細な説明により明らかになる。詳細な説明と特定の例はこの発明の好ましい実施態様を示すものではあるが、これは単なる例示であって、種々の変更や修正がこの発明の精神と範囲内にあることは、この詳細な説明から当業者には明らかである。
【図面の簡単な説明】
この発明は、以下の詳細な説明と添付の図面を参照すれば完全に理解できる。ただしこれらは単なる例示であって、この発明を制限するものではない。
第１図は、従来のＧＳＭ網を示す。
第２図は、この発明の一実施態様のＧＳＭ網を示す。
第３図は、この発明の一実施態様の流れ図を示す。
第４図は、主メニュー機能を用いたこの発明の一実施態様を示す。
第５図は、ＨＬＲと外部ノードがＴＴＥＮアプリケーションを効果的に実行する、この発明の別の実施態様を示す。
第６図は、網が起動するＵＳＳＤにＴＴＥＮアプリケーションを実行した、この発明の一実施態様の流れ図を示す。
第７図は、網が起動するＵＳＳＤのディレクトリとしてＨＬＲが機能する、この発明の一実施態様を示す。
詳細な説明
第２図を参照してこの発明の一実施態様を説明する。加入ＭＳ１７０は、第１図の従来のＧＳＭ網についての説明と同じ方法でＭＳＣ／ＶＬＲ１１０と通信する。第１図と同様に、１００はＭＳ加入者１７０とＭＳＣ／ＶＬＲ１１０との間の既知のインターフェースと要素を表す。第１図の場合と同じなので、これらのインターフェースや要素についてはこれ以上説明しない。この実施態様のＭＳＣ／ＶＬＲ１１０はＵＳＳＤハンドラ１１２を備える。ＭＳＣ／ＶＬＲ１１０は、第１図でインターフェース２について説明した既知の方法で、インターフェース１０２を通してＨＬＲ１２０と通信する。ＨＬＲ１２０はＵＳＳＤハンドラ１２２を備える。透明な伝送ユニット（ＴＴＵ）１３０はＨＬＲ１２０に接続する。詳細を後で説明するように、ＴＴＵ１３０は受信したＵＳＳＤに応じて、たとえば変更ＭＡＰなどのインターフェース１０４を通して、複数の外部ノード１、２、．．．、ｎと選択的に通信する。
第２図に示す装置について、第３図の流れ図を参照して説明する。ステップＳ１０で、ＭＳ１７０はＳＣを作成する。ステップＳ１２で、ＭＳ１７０はＳＣが認識されるかどうか決定する。ＳＣが認識される場合はステップＳ１４で対応するアプリケーションを実行し、ステップＳ２００でこの手続きを終る。ステップＳ１２でＳＣがＭＳ１７０に認識されない場合は、ステップＳ２０でＭＳ１７０はＳＣをＭＳＣ／ＶＬＲ１１０に送る。ＭＳＣ／ＶＬＲ１１０のＵＳＳＤハンドラ１１２は送られたＳＣを分析する。Ｓ３０でＳＣがＵＳＳＤハンドラ１１２に認識される場合は、ステップ４０でこのＳＣに対応するアプリケーションを実行し、ステップＳ２００でこの手続きを終る。ステップＳ３０でＳＣがＵＳＳＤハンドラ１１２に認識されない場合は、ステップＳ５０で従来の通信リンク１０２によりＳＣをＨＬＲ１２０に送る。
ステップＳ６０で、ＨＬＲ１２０のＵＳＳＤハンドラ１２２はＵＳＳＤを分析して、対応するアプリケーションがＨＬＲ１２０内で定義されているかどうか決定する。ＨＬＲ１２０内で定義されたアプリケーション向けであるとＵＳＳＤが認識される場合は、ステップＳ７０でこのＵＳＳＤに対応する動作を実行し、ステップＳ２００でこの手続きを終る。しかし、ステップＳ６０でＵＳＳＤがＨＬＲ１２０内で定義されたサービス向けであると認識されない場合は、このＵＳＳＤをＴＴＵ１３０に送る。ステップＳ６５でＴＴＵ１３０は、「外部サービスノードへの透明な伝送」（ＴＴＥＮ）と呼ぶＵＳＳＤアプリケーションを起動する。次にＴＴＥＮアプリケーション内でＵＳＳＤをＴＴＵ１３０内の所定のリストと比較し、ステップＳ８０で外部ノード１、２、．．．、ｎのどれにアクセスするか決定する。ステップＳ９０で、ＴＴＵ１３０が実行するＴＴＥＮアプリケーションは、ＭＳ１７０と所望の外部ノードとの間の会話をＵＳＳＤの定義に従って確立する。したがって、ＴＴＥＮアプリケーションにより、ＨＬＲ１２０はＭＳ１７０と所望の外部ノードとの間でＵＳＳＤの要素を中継するだけである。この会話は、外部ノードかＭＳ１７０がメッセージをＴＴＵ１３０に送ってこの会話を終了するよう要求するまで続く。ステップＳ１００で、ＴＴＵ１３０は会話終了メッセージを受信したかどうか決定する。ＴＴＵ１３０が会話終了メッセージを受信すると、ステップＳ２００でこの手続きを終る。しかしＴＴＵ１３０が会話終了メッセージを受信しない限りこの会話は続き、ＴＴＵ１３０は会話の管理を継続して、ステップＳ１００で会話終了メッセージを受信したかどうか決定する。
この実施態様の対象は、ＰＬＭＮの外部のサービスが全て１つの外部サービスノード内にあって、確立されたＴＴＥＮアプリケーションはその１つの外部サービスノードとＭＳ１７０との間の全てのＵＳＳＤを中継するだけでよい場合である。アプリケーションが存在する外部サービスノードはＭＳ１７０向けの全ての送信を行い、またこの外部サービスノードかまたはＭＳ１７０はこのアプリケーションで確立された会話を終了させる。ＴＴＥＮアプリケーションを呼び出すためにＴＴＵ１３０が決定したＵＳＳＤをＭＳ１７０が起動すると、ＨＬＲ１２０は変更ＭＡＰプロトコルを用いて、ＵＳＳＤと共に加入者識別を所望の外部ノードに送る。ＭＡＰプロトコルは機密保護と識別の目的で変更されたものである。
第３図を参照して説明した実施態様は、加入者サービスが全て１個の外部ノード内にあり、ＴＴＥＮアプリケーションは所望の外部ノードとＭＳ１７０との間で全てのＵＳＳＤを中継するだけでよい場合であるが、第２図に示すシステムは加入者の一連番号によりいくつかの外部ノードを扱うこともできる。いくつかの外部ノードがそれぞれ種々のサービスを含む場合は、ＭＳ１７０の加入者が主メニュー上の異なるサービスから選べるインターフェースを作ると、ＴＴＵ１３０はＭＳ１７０への主インターフェースとして動作する。第４図は、この発明の一実施態様における、ＭＳ１７０上の主メニューディスプレイ１７２とキーボード１７４の一例を示す。主メニューディスプレイ１７２により、ＭＳ１７０の加入者はキーボード１７４を用いて、この例では音声メールサービスに対応する外部ノード１か、ファックスメールサービスに対応する外部ノード２を選択することができる。
ＴＴＵ１３０は、主メニューディスプレイ１７２上に表示された選択毎に、対応する外部ノードに会話を設定する。所望の外部ノードに会話を設定した後はＴＴＵ１３０は受動的であって、所望の外部ノードとＭＳ１７０との間でメッセージを中継するだけである。所望の外部サービスノードかＭＳ１７０が接続を終了するよう要求すると、ＴＴＵ１３０は外部サービスノードへの接続を切断するがＭＳ１７０には引き続き接続して、ＭＳ１７０がＴＴＵ１３０への接続を終了するよう要求するまで他のサービスを提供する。このように、ＭＳ１７０の加入者と外部サービスとの間の対話は全てメニューを用いて行うことができる。選択するにはテキストによるメニューを用いてキーボード１７４のキーを押すだけでよく、１つのＳＣを送ることにより全てのメッセージサービスにアクセスすることができる。これにより、あるサービスにアクセスするのに必要な時間が短くなり、ＭＳ１７０がサービスの状態を決定するのが容易になる。
また、外部サービスにアクセスするのに用いるのはトラヒックチャンネルではなくて信号チャンネルである。つまり、外部サービスにアクセスしているときＭＳ１７０は話中ではなく、掛かって来た電話に答えることができる。したがって、移動電話で話をしながら、同時にサービスにアクセスすることができる。外部スピーカとマイクロホンを持つ移動局や、統合ノートブックコンピュータを備える移動局では、運転者は電話で話をしながら、同時にたとえば株価や天候の情報などの情報サービスにアクセスすることができるので、これは非常に大きな利点である。
主メニューを用いる、この発明の別の実施態様を第５図に示す。この場合は、ＨＬＲ１２０は本質的に「愚かな」ＨＬＲとして機能する。言い換えると、ＵＳＳＤが認識されない場合は、ＨＬＲ１２０はこの例ではＴＴＵ１３０を通してＴＴＥＮアプリケーションにより外部ノード１にＵＳＳＤを常に送る。その後は外部ノード１は主インターフェースとして動作し、外部ノード２、．．．、ｎに主メニューを提供する。実際は、ＴＴＥＮアプリケーションはインターフェース１０５によりＴＴＵ１３０にも外部ノード１にも存在し、次に外部ノード１と外部ノード２、．．．、ｎとの間の主インターフェースはインターフェース１０６により与えられる。
網が起動するＵＳＳＤに関する、この発明のさらに別の実施態様を第６図に示す。網が起動するＵＳＳＤでは、ＨＬＲ１２０はＭＳ１７０の位置を得るディレクトリか、またはＭＳＣ／ＶＬＲ１１０とＭＳ１７０とに会話を設定する要素として機能する（実際上、移動体が起動するＵＳＳＤと逆の動作）。またＨＬＲ１２０は外部ノードを認可してからＵＳＳＤをＭＳ１７０に送信する。第６図の流れ図では、ステップＳ３１０で所望のＭＳの識別と共にＵＳＳＤを外部ノードの１つからＴＴＵ１３０に送る。次にステップＳ３２０で、送信ノードは所望のＭＳにアクセスすることが許可されているかどうか決定する。送信ノードが所望のＭＳにアクセスすることが許可されていない場合は、ステップＳ３３０でエラーメッセージを外部ノードに送り、ステップＳ４００でこの手続きを終わる。送信ノードが所望のＭＳにアクセスすることが許可されている場合は、ステップＳ３４０でＴＴＵ１３０は所望のＭＳへのＴＴＥＮアプリケーションを確立する。ステップＳ３５０で、ＭＳＣ／ＶＬＲ１１０を通してＵＳＳＤをＭＳ１７０に送る。ステップＳ３６０でＴＴＵ１３０は、送信ノードかまたは所望のＭＳから会話終了メッセージを受信したかどうか決定する。ＴＴＵ１３０が会話終了メッセージを受信すると、ステップＳ４００でこの手続きを終わる。しかし、ＴＴＵ１３０が会話終了メッセージをまだ受信していないときは送信ノードと所望のＭＳとの間の会話は続き、ＴＴＵ１３０は引き続き会話の管理を行い、ステップＳ３６０で会話終了メッセージを受信したかどうか決定する。
ＨＬＲ１２０がディレクトリとして機能する例を第７図に示す。ＵＳＳＤを外部ノード１で起動したとき、たとえばＭＳ１７０のアドレスはＨＬＲ１２０から得られる。ＨＬＲ１２０は基本的にディレクトリとして動作し、この実施態様ではたとえばＣＣＩＴＴ  Ｎｏ．７信号方式アドレスを生成する。このＵＳＳＤとアドレスは、ＴＴＵ１３０を通してＭＳ１７０に対応するＭＳＣ／ＶＬＲ１１０に送られる。この実施態様ではＴＴＵ１３０は、ＨＬＲ１２０から得たアドレスに応じて、インターフェース１０８と１０９により、外部ノード１とＭＳＣ／ＶＬＲ１１０との間に選択的に接続する。ＨＬＲ１２０からＣＣＩＴＴ  Ｎｏ．７信号方式アドレスを得ることにより、ＭＳ１７０に対応するＭＳＣ／ＶＬＲ１１０にＵＳＳＤを送ることができる。したがって、移動体が起動するＵＳＳＤに向けた前の実施態様とは異なり、ＴＴＵ１３０は網が起動するＵＳＳＤ用のＴＴＥＮアプリケーションを、ＨＬＲ１２０を通してではなくＭＳＣ／ＶＬＲ１１０を通して実行する。
この発明の説明により、この発明を多くの方法で変更できることは明らかである。このような変更はこの発明の精神と範囲から逸れるものではなく、当業者に明らかなように、このような修正は全て特許請求の範囲内に含まれる。
【図１】
0003836138.tif 000002
【図２】
0003836138.tif 000003
【図３】
0003836138.tif 000004
【図４】
0003836138.tif 000005
【図５】
0003836138.tif 000006
【図７】
0003836138.tif 000007
【図６】
0003836138.tif 000008